(57)【要約】【課題】そこで、霧捕集装置の稼動状況を最適化することができる霧捕集制御装置および霧捕集制御方法を提供することを目的とする。【解決手段】霧捕集制御システムは、所定の霧捕集装置設置地域１０の周りを囲むように配置された気象センサと、霧捕集制御装置１００とから構成されている。霧捕集装置設置地域１０には、所定地域内に複数の霧捕集装置１１が設置されている。気象センサ１は、例えば、液滴の電気伝導度に応じて霧の有無を検知する水センサなどから構成され、霧を検知すると、霧捕集制御装置１００に霧情報として転送する。霧捕集制御装置１００は、気象センサ１から取得した霧情報に基づいて、霧捕集装置設置地域１０内の霧捕集装置１１の稼動制御を行う。【選択図】  図１
2004169460.tif 000002
【特許請求の範囲】
【請求項１】
動力によって稼動する霧捕集装置を制御する霧捕集制御装置であって、
複数の気象センサから霧に関する情報を取得する霧情報取得手段と、
前記取得した霧情報に基づいて、霧が前記霧捕集装置へ到達する時間および霧の持続時間を予測する予測手段と、
前記予測手段による予測に基づいて、前記霧捕集装置の稼動を制御する稼動制御手段と
を備えたことを特徴とする霧捕集制御装置。
【請求項２】
前記霧が前記霧捕集装置へ到達する時間は、前記気象センサから前記霧捕集装置までの距離を当該霧の風速で割った値に基づいて求めることを特徴とする請求項１記載の霧捕集制御装置。
【請求項３】
前記稼動制御手段による稼動制御に応じた前記霧捕集装置の造水量を予測する造水量予測手段をさらに備え、
前記稼動制御手段は、前記予測した造水量に基づいて、造水プラントの稼動を制御することを特徴とする請求項１または請求項２記載の霧捕集制御装置。
【請求項４】
水道使用量を検知するセンサから水道使用量情報を取得する水道使用量情報取得手段をさらに備え、
前記稼動制御手段は、前記水道使用量情報に基づいて、前記造水プラントの稼動を制御することを特徴とする請求項３記載の霧捕集制御装置。
【請求項５】
動力によって稼動する霧捕集装置を制御する霧捕集制御方法であって、
複数の気象センサから霧に関する情報を取得する第１のステップと、
前記取得した霧情報に基づいて、霧が前記霧捕集装置へ到達する時間および霧の持続時間を予測する第２のステップと、
前記第２のステップによる予測に基づいて、前記霧捕集装置の稼動を制御する第３のステップと
を有することを特徴とする霧捕集制御方法。
【発明の詳細な説明】
【０００１】
【発明の属する技術分野】
本発明は、霧捕集制御装置および霧捕集制御方法に関する。
【０００２】
【従来の技術】
乾燥地帯での造水方法として発生した霧を含んだ風を、電力で回転させる回転体に当て、回転体に取り付けた線材またはネットに霧粒を付着させて霧水を回収し、造水を行う霧水捕集装置の技術がある（例えば、特許文献１参照）。
【０００３】
【特許文献１】
特開平５−２０２５３７号公報
【０００４】
【発明が解決しようとする課題】
しかしながら、上記した技術の場合、霧の発生有無に関わらず、霧水捕集装置を絶えず稼動させる必要があり、無駄な電力を消費していた。
そこで、本発明は、上記事情に鑑みてなされたもので、霧捕集装置の稼動状況を最適化することができる霧捕集制御装置および霧捕集制御方法を提供することを目的とする。
【０００５】
【課題を解決するための手段】
請求項１記載の発明は、動力によって稼動する霧捕集装置を制御する霧捕集制御装置であって、複数の気象センサから霧に関する情報を取得する霧情報取得手段と、前記取得した霧情報に基づいて、霧が前記霧捕集装置へ到達する時間および霧の持続時間を予測する予測手段と、前記予測手段による予測に基づいて、前記霧捕集装置の稼動を制御する稼動制御手段と
を備えたことを特徴とする。
このように霧捕集装置は、霧が存在する時間のみ稼動をすることになり、運転コストを抑えることができ、効率良く霧捕集を行うことができる。また、霧捕集装置の稼動を制御することにより、一定時間後までにどのくらいの水量を確保できるか予測することができる。
【０００６】
請求項２記載の発明は、請求項１記載の発明において、前記霧が前記霧捕集装置へ到達する時間は、前記気象センサから前記霧捕集装置までの距離を当該霧の風速で割った値に基づいて求めることを特徴とする。
このように、霧捕集装置までの到達時間を求めることにより、より正確に霧捕集装置の稼動を制御することができる。
【０００７】
請求項３記載の発明は、請求項１または請求項２記載の発明において、前記稼動制御手段による稼動制御に応じた前記霧捕集装置の造水量を予測する造水量予測手段をさらに備え、前記稼動制御手段は、前記予測した造水量に基づいて、造水プラントの稼動を制御することを特徴とする。
このように、造水量を予測し、その予測分だけ造水を抑えるように制御するので、造水プラントの運転を最適化することができる。
【０００８】
請求項４記載の発明は、請求項３記載の発明において、水道使用量を検知するセンサから水道使用量情報を取得する水道使用量情報取得手段をさらに備え、前記稼動制御手段は、前記水道使用量情報に基づいて、前記造水プラントの稼動を制御することを特徴とする。
このように、取得した水道使用量情報に基づいて、貯水槽の残存量の予測を行い、予測結果に応じて造水プラントや霧捕集装置の稼動制御を行うので、造水に関わる全体コストを低減することができる。また、造水に関わる霧捕集装置や造水プラントの稼動の最適化を図ることができる。
【０００９】
請求項５記載の発明は、動力によって稼動する霧捕集装置を制御する霧捕集制御方法であって、複数の気象センサから霧に関する情報を取得する第１のステップと、前記取得した霧情報に基づいて、霧が前記霧捕集装置へ到達する時間および霧の持続時間を予測する第２のステップと、前記第２のステップによる予測に基づいて、前記霧捕集装置の稼動を制御する第３のステップとを有することを特徴とする。
【００１０】
【発明の実施の形態】
以下、本発明の霧捕集制御装置および霧捕集制御方法の好適な実施形態について図１ないし図４を参照して詳細に説明する。
まず、第１の実施形態の霧捕集制御装置について説明する。
図１は、第１の実施形態に係る霧捕集制御装置を含む霧捕集制御システムの概略構成を示した図である。
霧捕集制御システムは、所定の霧捕集装置設置地域１０の周りを囲むように配置された気象センサ１ａ、１ｂ、・・・（以下、気象センサ１という）と、霧捕集制御装置１００とから構成されている。霧捕集装置設置地域１０には、所定地域内に複数の霧捕集装置１１ａ、１１ｂ・・・（以下、霧捕集装置１１という）が設置されている。なお、霧捕集装置１１は、動力により稼動するようになっている。
気象センサ１は、例えば、液滴の電気伝導度に応じて霧の有無を検知する水センサなどから構成され、霧を検知すると、霧捕集制御装置１００に霧情報として転送する。
霧捕集制御装置１００は、気象センサ１から取得した霧情報に基づいて、霧捕集装置設置地域１０内の霧捕集装置１１の稼動制御を行う。
【００１１】
次に、霧捕集制御装置１００について説明する。
霧捕集制御装置１００は、パーソナルコンピュータなどを含むコンピュータシステムによって構成され、システム全体を制御するための制御装置として機能する。また、霧捕集制御装置１００は、データバスなどのバスラインを介して、霧情報取得部１０１と、予測部１０２と、稼動制御部１０３と、不図示の記憶部、入出力部などが接続されている。
霧情報取得部１０１は、霧捕集装置設置地域１０の周りに配置された複数の気象センサ１から霧に関する情報を取得する。ここで、霧に関する情報とは、例えば、霧の風向、量、風速、霧が気象センサ１に来た時間、霧が気象センサ１を去った時間などをいう。
【００１２】
予測部１０２は、霧情報取得部１０１で取得した霧情報に基づいて、霧が霧捕集装置１１に到達する時間および霧の持続時間を予測する。予測部１０２は、後述する記憶部から、気象センサ１から霧捕集装置１１までの距離を取得し、この距離を霧の風速で割ることにより、当該霧捕集装置１１への霧の到達時間を予測する。
また、予測部１０２は、気象センサ１から取得した霧が来た時間および去った時間に基づいて、霧の持続時間を予測する。
【００１３】
稼動制御部１０３は、予測部１０２による到達時間および持続時間の予測に基づいて、霧捕集装置１１に対して稼動命令、稼動停止命令を送信することにより、霧捕集装置１１の稼動制御を行う。
霧捕集制御装置１００の不図示の記憶部には、所定の霧捕集装置設置地域１０ごとの霧捕集装置１１に関するデータが格納されている。霧捕集装置１１に関するデータは、霧捕集装置設置地域１０内での各霧捕集装置１１の座標、各気象センサ１から各霧捕集装置１１までの距離、各霧捕集装置１１間の距離などである。
【００１４】
次に、第１の実施形態に係る霧捕集制御装置１００の動作について図２のフローを参照しながら説明する。なお、ここでは霧捕集制御装置１００は、霧捕集装置設置地域１０内の複数の霧捕集装置１１を１群として稼動制御する場合について説明する。この場合、霧捕集制御装置１００の記憶部には、気象センサ１から霧捕集装置設置地域１０の中心までが距離として格納されているものとする。
【００１５】
まず、霧情報取得部１０１が気象センサ１から霧情報を取得すると（ステップＳ２００）、予測部１０２は、記憶部から当該気象センサ１から霧捕集装置１１までの距離（ここでは霧捕集装置設置地域１０の中心までの距離をいう）を読み出し、当該距離を霧の風速で割ることにより、霧捕集装置１１への到達時間を予測する（ステップＳ２０２）。また、予測部１０２は、霧情報のうち、気象センサ１に霧が来た時間および去った時間に基づいて、霧の持続時間を予測する（ステップＳ２０４）。
【００１６】
稼動制御部１０３は、霧捕集装置１１に対して霧の到達時間に達すると稼動命令を送信し、霧の持続時間が経過すると稼動停止命令を送信する（ステップＳ２０８）。これにより、霧捕集装置１１は、霧が存在する時間のみ稼動をすることになり、霧捕集装置の運転コストを抑えることができ、効率良く霧捕集を行うことができる。また、一定時間後までにどのくらいの水量を確保できるか予測することができる。
【００１７】
次に、第２の実施形態の霧捕集制御装置について説明する。
図３は、第２の実施形態に係る霧捕集制御装置２００を含む霧捕集制御システムの概略構成を示した図である。なお、第１の実施形態の霧捕集制御装置１００と同様の構成部分には同じ番号を付し、適宜説明を省略する。
第２の実施形態の霧捕集制御装置２００は、外部の造水プラント２０と接続され、造水量予測部１０４をさらに備えている。そして、霧捕集制御装置２００は、予測した造水量に応じて外部の造水プラント２０の稼動を制御するようになっている。
【００１８】
造水量予測部１０４は、稼動制御部１０３による稼動制御に応じた霧捕集装置１１の造水量を予測する。そして、第２の実施形態の稼動制御部１０３は、造水量予測部１０４で予測された造水量に基づいて、造水プラント２０の稼動を制御するようになっている。
ここで、予測された造水量に基づいて、稼動制御部１０３が造水プラント２０の稼動制御を行った場合について考える。なお、霧捕集制御装置２００の記憶部には、霧捕集装置１１の稼動制御の都度、予測された造水量データが記憶されるものとする。
【００１９】
稼動制御部１０３が霧捕集装置１１の稼動制御を行うと、造水量予測部１０４は、霧捕集装置１１の造水量を予測し、稼動制御部１０３に当該造水量データを送信する。稼動制御部１０３は、予測された造水量データに基づき、造水プラント２０に対して、当該造水量だけ造水を抑えるように制御する。
このように、第２の実施形態の霧捕集制御装置２００は、造水量を予測し、その予測分だけ造水を抑えるように制御するので、造水プラント２０の運転を最適化することができる。
なお、ここでの造水プラント２０とは、水を供給している造水装置であり、例えば、海水淡水化プラントなどをいう。また、図３では造水プラント２０は一例として１つのみ記載されているが、これに限られるものではなく、複数の造水プラントの制御を行うことができるものとする。
【００２０】
次に、第３の実施形態の霧捕集制御装置について説明する。
図４は、第３の実施形態に係る霧捕集制御装置３００を含む霧捕集制御システムの概略構成を示した図である。なお、第１または第２の実施形態の霧捕集制御装置と同様の構成部分には同じ番号を付し、適宜説明を省略する。
第３の実施形態の霧捕集制御装置３００は、第２の実施形態の霧捕集制御装置２００にさらに水道使用量情報取得部１０５を備えた構成である。霧捕集制御装置３００は、取得した水道使用量情報に基づいて、霧残貯水量の予測を正確に行い、霧捕集装置１１や造水プラント２０の稼動を制御するようになっている。
【００２１】
霧捕集制御装置３００の水道使用量情報取得部１０５は、外部の水道を利用する各施設に取り付けられている水使用量検知センサ２によって、リアルタイムで計測された水道使用量情報（水道使用量データ）を取得する。なお、外部の水道を利用する施設には、各家庭も含まれるものとする。
ここで、取得された水道使用量情報に基づいて、稼動制御部１０３が造水プラント２０の稼動制御を行った場合について考える。なお、霧捕集制御装置３００の記憶部には、あらかじめ所定地域の貯水槽が満タンのときの貯水量データが記憶されているものとする。
【００２２】
予測部１０３は、水道使用量データを取得すると、記憶部から貯水量データを読み出し、当該貯水量データから水道使用量データを減算することにより、貯水槽の残存量を予測する。そして、稼動制御部１０３は、予測された残存量に基づき、造水プラント２０に対する稼動制御を行う。
このように、第３の実施形態の霧捕集制御装置３００は、取得した水道使用量情報に基づいて、貯水槽の残存量の予測を行い、予測結果に応じて造水プラント２０や霧捕集装置１１の稼動制御を行うので、造水に関わる全体コストを低減することができる。また、造水に関わる霧捕集装置１１や造水プラント２０の稼動の最適化を図ることができる。
【００２３】
以上、本発明の一実施形態について説明したが、本発明は、上述の実施形態に限定されるものではない。
例えば、霧情報取得部１０１は、気象センサ１からの霧情報に基づくものとしたが、これに限られるものではない。外部の気象予測システムから気象予測結果結果、一般の天気予報、温度・湿度の気象データ、雲の発生予想などを取得するようにしてもよい。なお、気象予測システムとしては、ＲＡＭＳモデルなどの気象を予測する数値モデルなどが挙げられる。この気象予測システムからの霧情報の場合、予測部１０２は、取得した気象データや雲の生成予測に応じて、霧の水分量や発生を予測するようになっている。
【００２４】
また、第１の実施形態の霧捕集制御装置において、霧捕集制御装置１００は、霧捕集装置設置地域１０内の複数の霧捕集装置１１を１群として稼動制御する場合について説明したが、これに限られるものではない。霧捕集制御装置１００は、予測部１０２による霧の方向、風速などに応じて、記憶部に格納されている各霧捕集装置１１の位置情報を参照することにより、各霧捕集装置１１それぞれの霧捕集を制御するようにしてもよい。
【００２５】
【発明の効果】
請求項１記載の発明は、取得した霧情報に基づいて、霧が霧捕集装置へ到達する時間および霧の持続時間を予測し、予測に基づいて、霧捕集装置の稼動を制御するので、霧が存在する時間のみ霧捕集装置を稼動し、運転コストを抑えることができ、効率良く霧捕集を行うことができる。  請求項２記載の発明は、霧が霧捕集装置へ到達する時間を気象センサから霧捕集装置までの距離を当該霧の風速で割った値に基づいて求めるので、より正確に霧捕集装置の稼動を制御することができる。
【００２６】
請求項３記載の発明は、稼動制御手段による稼動制御に応じた霧捕集装置の造水量を予測し、予測した造水量に基づいて、造水プラントの稼動を制御するので、造水プラントの運転を最適化することができる。
請求項４記載の発明は、水道使用量を検知するセンサから水道使用量情報を取得し、水道使用量情報に基づいて、造水プラントの稼動を制御するので、造水に関わる全体コストを低減することができ、霧捕集装置や造水プラントの稼動の最適化を図ることができる。
【図面の簡単な説明】
【図１】第１の実施形態の霧捕集制御装置を含む霧捕集システムの概略構成を示した図である。
【図２】第１の実施形態の霧捕集制御装置の動作を示したフローチャートである。
【図３】第２の実施形態の霧捕集制御装置を含む霧捕集システムの概略構成を示した図である。
【図４】第３の実施形態の霧捕集制御装置を含む霧捕集システムの概略構成を示した図である。
【符号の説明】
１ａ、１ｂ・・・      気象センサ
１０      霧捕集装置設置地域
１０１    霧情報取得部
１０２    予測部
１０３    稼動制御部
１００    霧捕集制御装置
【図１】
2004169460.tif 000003
【図２】
2004169460.tif 000004
【図３】
2004169460.tif 000005
【図４】
2004169460.tif 000006